(57)【要約】  【課題】ゴルフボールのインパクト時に、地面からの抵抗を利用してバックスピン量を増大させるゴルフクラブを提供する。そうすることにより、ゴルファはバックスピン量が多い打球を打つことができる。  【解決手段】ゴルフクラブシャフトの先端にゴルフクラブヘッドを備えたゴルフクラブにおいて、ゴルフクラブヘッドのソール部に突状部を有する。この突状部の先端部はヘッド基準幅に対して、後方側から０〜４０％の箇所に存在し、かつ前記突状部の先端部とソール部の最下点との高低差が２ｍｍ以上である。【選択図】図３
2006130196.tif 000002
【特許請求の範囲】
【請求項１】
ゴルフクラブシャフトの先端にゴルフクラブヘッドを備えるゴルフクラブにおいて、
ゴルフクラブヘッドのソール部に突状部を有し、前記突状部の先端部がヘッド基準幅に対して後方側から０〜４０％の箇所に存在し、かつ前記突状部の先端部とソール部の最下点との高低差が２ｍｍ以上であることを特徴とするゴルフクラブ。
【請求項２】
前記突状部が壁部を有し、前記壁部と基準面とのなす角が１０〜１２０度である請求項１に記載のゴルフクラブ。
【請求項３】
ゴルフクラブヘッドのロフト角度が４１度以上である請求項１又は２に記載のゴルフクラブ。
【請求項４】
ゴルフクラブシャフトの先端にゴルフクラブヘッドを備えるゴルフクラブにおいて、
スイング時に地面から受ける抵抗を増大させるように突出した突状部を、ゴルフクラブヘッドのソール部に有することを特徴とするゴルフクラブ。
【請求項５】
前記突状部の先端部がヘッド基準幅に対して後方側から０〜４０％の箇所に存在し、かつ前記突状部の先端部とソール部の最下点との高低差が２ｍｍ以上である請求項４に記載のゴルフクラブ。
【請求項６】
前記突状部が壁部を有し、前記壁部と基準面とのなす角が１０〜１２０度である請求項４又は５に記載のゴルフクラブ。
【請求項７】
ゴルフクラブヘッドのロフト角度が４１度以上である請求項４乃至６のいずれか１項に記載のゴルフクラブ。
【発明の詳細な説明】
【技術分野】
【０００１】
本発明は、ゴルフクラブに関し、さらに詳しくはソール部に突状部を有するゴルフクラブヘッドを備えるゴルフクラブに関する。
【背景技術】
【０００２】
従来、ゴルフクラブは、飛距離の増大、打感の向上等の要求を満たすために、ゴルフクラブヘッドを構成する部材に、金属材料や繊維強化樹脂など種々の材料が用いられたり、種々の形状で作成されていた。
特に、ソール 部の形状に関しては、芝上での滑りを良くしたり、ゴルフクラブヘッドの低重心化を図る技術が提案されていた。
【０００３】
このような技術として、ソール部に細い溝を設けたゴルフクラブヘッドが提案されている（例えば、特許文献１参照。）。特許文献１には、このゴルフクラブヘッドは、細い溝がソール部に設けられているため、砂などを溝の中に取り込み排出させ、スウィング中の抵抗を減らしヘッドの抜けをよくすることが開示されている。
【０００４】
また、フェースの底面に形成されたソールの肉厚部分をソール形成部と定義し、このソール形成部に穴、中空部などを形成したゴルフクラブが提案されている（例えば、特許文献２参照。）。特許文献２には、このように形成されたゴルフクラブヘッドは、軽くなった重量分をヘッドの後方側へシフトすることができ、ショットのぶれをなくし、飛距離の向上を図れることが開示されている。
【０００５】
また、凹状ソールを備えたアイアンゴルフクラブが提供されている(例えば、特許文献３参照。）。特許文献３には、このアイアンゴルフクラブは、動作中におけるゴルフクラブヘッドのスピードの減少が少ないことが開示されている。
【０００６】
さらに、フェースと略平行に、ソールから背面に掛けて断面扁平な窓孔を有したサンドウェッジゴルフクラブが提案されている（例えば、特許文献４参照。）。特許文献４には、このサンドウェッジゴルフクラブは、バンカーからボールを打ち出す際に、窓孔をすり抜けて砂の一部を背面に排出するので、非力なゴルファにとっても、バンカーショットが容易となり、重い硬い砂でも十分に振り抜くことができることが開示されている。
これらソールの形状を改良したゴルフクラブヘッドは、スイング中に地面から受ける抵抗に関して、地面から受ける抵抗を減らし、ゴルフクラブヘッドの抜けをよくしたり、非力なゴルファのバンカーショットを容易にしている。
換言すると、従来では、ゴルフクラブのソールの形状を改良することにより、ゴルフボールのインパクト時に地面から受ける抵抗を減少させていた。
【特許文献１】特開２００２−２４８１８３号公報
【特許文献２】特開平１１−１７８９６１号公報
【特許文献３】特開昭５０−５３１４０号公報
【特許文献４】実開昭５０−６７９６４号公報
【発明の開示】
【発明が解決しようとする課題】
【０００７】
しかしながら、ゴルフボールのインパクト時に地面から受ける抵抗は、バックスピン量に影響を与えることを、本発明者は見出している。
本発明は、本発明者の知見に基づいてなされたものであり、ゴルフボールのインパクト時に、地面からの抵抗を利用してバックスピン量を増大させるゴルフクラブを提供することを目的とする。
【課題を解決するための手段】
【０００８】
前記課題を解決するために、本発明の第１の態様は、ゴルフクラブシャフトの先端にゴルフクラブヘッドを備えるゴルフクラブにおいて、ゴルフクラブヘッドのソール部に突状部を有し、前記突状部の先端部がヘッド基準幅に対して後方側から０〜４０％の箇所に存在し、かつ前記突状部の先端部とソール部の最下点との高低差が２ｍｍ以上であることを特徴とするゴルフクラブを提供する。
【０００９】
本発明の第２の態様は、ゴルフクラブシャフトの先端にゴルフクラブヘッドを備えるゴルフクラブにおいて、スイング時に地面から受ける抵抗を増大させるように突出した突状部を、ゴルフクラブヘッドのソール部に有することを特徴とするゴルフクラブを提供する。このゴルフクラブは、突状部の先端部がヘッド基準幅に対して後方側から０〜４０％の箇所に存在し、かつ前記突状部の先端部とソール部の最下点との高低差が２ｍｍ以上であることが好ましい。
【００１０】
突状部は壁部を有し、前記壁部と基準面のなす角が、１０〜１２０度であることが好ましい。
さらに、ゴルフクラブヘッドのロフト角度が４１度以上であることが好ましい。
【発明の効果】
【００１１】
本発明によれば、ゴルフボールのインパクト時に、バックスピン量を増大させることのできるゴルフクラブを提供することができる。
したがって、ゴルファは、本発明のゴルフクラブを用いることにより、バックスピン量が多い打球を打つことができる。
【発明を実施するための最良の形態】
【００１２】
本発明に係るゴルフクラブについて、添付の図面に示す実施形態を基に詳細に説明する。
【００１３】
図１は、本実施形態のゴルフクラブの正面図である。
図１に示すように、本実施形態のゴルフクラブ１は、ゴルフクラブシャフト２と、ゴルフクラブシャフト２の一端を被覆するグリップ３と、ゴルフクラブシャフト２の他端に装着するゴルフクラブヘッド４とを備え、ゴルフクラブヘッド４はヒール側で上方に向けられて突設されたホーゼルにソケット５を介してゴルフクラブシャフト２に連結される。
【００１４】
ゴルフクラブシャフト２は、その全長に亘って中空の円筒状体であり、軽量な繊維強化樹脂材、例えばカーボン繊維やガラス繊維などで強化した樹脂材により形成される。
グリップ３は、ゴルファがゴルフクラブを把持する部分であり、例えばゴムや皮革などにより形成される。
ゴルフクラブヘッド４は、ゴルフボールを打撃する打撃面を有するフェース部５と、ゴルフクラブシャフトが挿入され結合されるホーゼル部６とを有する。
ゴルフクラブヘッド４は、地面と接地する下側の部分をソール部といい、ソール部と反対側でゴルフクラブヘッドの上側の部分をクラウン部という。また、ゴルフクラブヘッド４とゴルフクラブシャフト２の接合側のフェース部４の端部をヒール部といい、ヒール部と反対側のフェース部の端部をトウ部という。
【００１５】
図２は、図１に示すゴルフクラブヘッド１０のＡ−Ａ’矢視断面図である。
本実施形態のゴルフクラブヘッドは、通常のアドレスポジションに設置した状態において、図２に示すように、ソール部に切り欠きが設けられ、また、打球打ち出し方向を前方とした場合に、その切り欠きに対して後方側に位置するような形態で突状部が設けられる。
通常のアドレスポジションに設置した状態とは、ライ角度に従ってゴルフクラブを配置した状態をいい、この状態は後で詳しく説明する。
【００１６】
この突状部は、先の尖った先端部を有し、ゴルフスイング時において先端部が地面に接し、ゴルフクラブヘッド４のロフト角度を減少させる。
すなわち、ゴルフクラブヘッド４は、スイング中に地面と突状部が接触した際に生じる抵抗によって、ロフト角度を減少する方向に回転する。
さらに、このようなゴルフクラブヘッドの挙動は、打ち出されたゴルフボールにかかるバックスピン量を増大させる。このゴルフクラブヘッドの挙動については後で詳しく説明する。
【００１７】
したがって、本発明に係るゴルフクラブは、ソール部に突状部を設けることにより、ゴルフボールのインパクト時に、地面からの抵抗によってゴルフクラブヘッドの運動（バックスピン量）を増大させることができる。
このゴルフクラブを用いたゴルファは、バックスピン量が多い打球を容易に打つことができる。すなわち、従来のゴルフクラブでバックスピン量を増大させようとするには、プロゴルファやレベルの高い上級者は、ゴルフクラブを強制的にロフト角度が減少する方向に動くような特殊な打ち方をしていたが、本発明のゴルフクラブによって、特殊な打ち方をしないでもバックスピン量を増大させることのできるゴルフクラブの提供が可能になる。
【００１８】
さらに、この突状部の先端部は、ヘッド基準幅に対して、後方側から０〜４０％の箇所に存在する。
ここで、ヘッド基準幅とは、図２に示すように、ソール部の厚さに基づくゴルフクラブヘッドの厚さを指し、ゴルフクラブヘッド４を通常のアドレスポジションに設置した状態において、フェース部５の前端部Ｅ（以下、リーディングエッジともいう）から突状部１０の後端部まで、飛球線方向に対する基準面８に平行な距離ｄをいう。
すなわち、基準面８に投影したフェース部５の前端部と突状部１０の後端部と間の飛球線方向の距離である。
【００１９】
上述のように、ゴルフクラブヘッドが突状部を有することにより、打ち出されたゴルフボールにかかるバックスピン量は増大するが、突状部の先端部が、この位置に存在することによって、この効果は更に顕著になる。
また、突状部の先端部は、ヘッド基準幅に対して、後方側から０〜３０％の箇所に存在することが好ましい。
【００２０】
なお、ヘッド基準幅を、フェース部５の前端部から突状部１０の後端部まで、飛球線方向に対する基準面８に平行な距離ｄとしたが、突状部１０の後端部が不明確な場合がある。例えば、本実施形態では、ソール部に設けられた切り欠きの後方側に突状部を形成したが、図３に示すように、ソール部に突起物を設け、突起物によって突状部が得られるような形態であってもよい。
このように突状部１０の後端部が不明確な場合は、設置面８から所定の距離ｈ（ｈ＝８ｍｍ）の高さにおいて接するゴルフクラブヘッド後側の箇所を突状部の後端部とみなし、ヘッド基準幅はその箇所からフェース部の前端部まで、飛球線方向に対する基準面に平行な距離ｄ’とする。
つまり、ヘッド基準幅の後端部は、設置面８から０〜８ｍｍの箇所における最も張り出した位置とすればよい。
【００２１】
また、本実施形態のゴルフクラブヘッドでは、突状部１０の先端部とソール部の最下点との高低差が２ｍｍ以上である。ここで、ソール部の最下点とは、図２に示すように、ゴルフクラブヘッドを通常のアドレスポジションに設置した状態において、突状部１０を除くソール部における最下点を指す。
【００２２】
スイング時に地面との接触における抵抗は、突状部１０の先端部とソール部の最下点との高低差が大きく影響され、この高低差が小さいと、バックスピン量を増大させる効果を十分に得ることはできない。
したがって、突状部の先端部とソール部の最下点との高低差ｇが２ｍｍ以上であることによって、スイング時に突状部の先端部が地面に接し、ロフト角度が減少するゴルフクラブヘッドの挙動を適度な程度に与え、打ち出されるゴルフボールのバックスピン量を増大することができる。なお、突状部の先端部とソール部の最下点との高低差の上限値については、特に限定しないが、ゴルフクラブの使いやすさを考慮すると、高低差は１５ｍｍ程度である。
また、高低差は好ましくは３〜１２ｍｍである。
【００２３】
なお、ソール部の最下点を、突状部１０を除くソール部における最下点としたが、ソール部における突状部の範囲が明確になっていない場合がある。このような場合には、ソール部の最下点の特定方法は、ヘッド基準幅に対し、後方側から６０〜１００％の箇所における最下点をソール部の最下点として代用することが可能である。
【００２４】
さらに、本実施形態のゴルフクラブヘッドでは、突状部１０の壁部と基準面のなす角が１０〜１２０度である。
図４には、ゴルフクラブヘッドを通常のアドレスポジションに設置した状態における、突状部の壁部と基準面のなす角度θが示される。
突状部１０の壁部と基準面のなす角を１０〜１２０度にすることによって、スイング時に突状部の先端部が地面に接し、ロフト角度が減少するゴルフクラブヘッドの挙動がより大きくなり、打ち出されるゴルフボールにかかるバックスピン量をより増大させることができる。
なお、図２では突状部の壁部は平面であるが、突状部の壁部は曲面であってもよい。図４は壁部が曲面の場合の一例を示す。この場合には、突状部の壁部の深さａの半分の箇所（基準面８からａ／２の高さの箇所）を接点とし、その接線と基準面とのなす角を、突状部１０の壁部と基準面のなす角として代用することができる。
【００２５】
本実施形態のゴルフクラブヘッドは、ロフト角度が４１度以上である。ロフト角度が４１度以上のゴルフクラブは主にウェッジ類であり、特にゴルフボールの飛距離を得ることよりも、ゴルフボールを目標地点にコントロールすることが求められる。そのため、本来ならばバックスピン量が少ないとされる遅いヘッドスピードで、スイングをコントロールするような状況においても、バックスピン量を増大させて着地後のロール距離を短くすることができる。
【００２６】
ここで、図５を参照して、上述したバックスピン量を増大させるゴルフクラブヘッドの挙動について説明する。図５は、打球時のゴルフクラブヘッドの挙動を説明するための図である。
【００２７】
一般的に、ゴルフボールを打撃する際、ゴルフクラブヘッド１４の最下点Ｂが地面と接触する。
その際、ゴルフクラブヘッド１４は、ゴルフボール１２を打撃方向に打ち出すため、図５中左から右方向に向かって移動する。
地面と接触したゴルフクラブヘッド１４は、最下点Ｂを中心として、時計回り（図中矢印で示す）に回転運動をする。
本発明のように、後方側０〜４０％、かつ高低差２ｍｍ以上であるから、ゴルフクラブヘッドのロフト角度が減少する方向に動く。
【００２８】
このとき、ゴルフボール１２は、この回転運動によりフェース部１５が破線から実線のように変化するので、打ち出されるゴルフボールはギア効果によって、反時計方向（図中矢印で示す）にスピンが発生する。このスピンの方向は、ロフト角度に応じて発生するスピンの方向と同一方向であるためバックスピン量を増大させる。
【００２９】
したがって、このようなゴルフクラブヘッドの挙動は、打ち出されたゴルフボールにかかるバックスピン量を増加させる作用を奏する。
バックスピン量が増大したゴルフボールは、地面に着弾した後のゴルフボールの転がり（ロール距離）を減らし、落下した地面の状態によって左右されるゴルフボールの飛距離のばらつきを抑える。
【００３０】
図６を参照して、ゴルフクラブヘッドを通常のアドレスポジションに設置した状態について説明する。
【００３１】
ゴルフクラブ１を通常のアドレスポジションに設置するとは、ゴルフクラブヘッド４をライ角度通りに設置し、かつ、図６に示すようにゴルフクラブのシャフト軸ＳとリーディングエッジＥとが互いに平行になるように設置することをいう。
ライ角度通りに設置とは、ソール部のラウンドと基準面とのなす隙間がトウ側及びヒール側にて略等しくなる状態に設置することをいう。
ソール部のラウンドが不明瞭な場合は、フェース面に描かれるスコアライン（図６参照）が基準面に平行になるように設置してもよい。ソール部のラウンドが不明瞭でかつスコアラインが直線状でない等により基準面との平行が判別できない場合は、ライ角度は、ライ角度（度）＝（１００−クラブ長さ（インチ））にて設定される。例えば、４０インチのクラブ長さであれば、ライ角度は１００−４０＝６０度になる。
【００３２】
ここで、クラブ長さは、社団法人日本ゴルフ用品協会が定める測定法により測定される。測定器としては、株式会社鴨下精衡所製のクラブ・メジャーIIが挙げられる。即ち、ヒール側の端部とグリップエンドとの間の距離をクラブ長さとするのである。
通常のアドレスポジションにおいて、リーディングエッジの方向はフェース面が指す方向と直角な方向に設定される。
【００３３】
上述のようにフェース面の方向を特定し、通常のアドレスポジションを設定した状態で行うゴルフクラブヘッドの寸法測定は、昇峰企業社製の高爾夫球頭測度台、ゴルフギャレーヂ社製のゴルフクラブアングル測定器、ゴルフスミス社製のゴルフクラブゲージ等の測定器により可能である。このような測定器は公知のものであれば良く、本発明において特に限定されるものではない。
【００３４】
ロフト角度の測定方法について説明する。ロフト角度は、ゴルフクラブシャフト２のシャフト軸とフェース部５のフェース面とのなす角度であり、図７に示すロフト角度測定器６０により測定される。
図７は、アイアンゴルフクラブをロフト角度測定器に取り付けた一例を示す図であり、図８は、図７中のゴルフクラブヘッド４の周辺拡大図であり、図９は、分度器を用いたロフト角度の測定方法を示す図である。
【００３５】
ロフト角度の測定は、ゴルフクラブをロフト角度測定器６０に取り付けた状態において、アイアンが基準面６２に対してライ角度通りに設置するようにライ角度調整部６３において取り付け角度が調整され、次いで、ロフト角度測定器６０に取り付けられたゴルフクラブは、ソール部が基準面６２に接するように、かつ、フェース角度調整具６６の先端部６６ａにフェース面が密着するように、すなわち、フェース角が０°になるように、ゴルフクラブがチャック部６８で固定される。
【００３６】
その後、図９に示すように、ゴルフクラブヘッド４のフェース面の基準面６２に垂直に立てた分度器７０を用いてロフト角度が測定される。フェース面が平面の場合、上記測定によってロフト角度が得られる。
ロフト角度の測定は、上述のように、ゴルフクラブによって測定する他、ゴルフクラブヘッド単体にシャフトピンを差し込んで測定することも可能である。
【００３７】
このようなロフト角度の測定器は、上述の寸法測定と同様に、市販されている公知のものであればよく、例えば、昇峰企業社製の高爾夫球頭測度台、ゴルフギャレーヂ社製のゴルフクラブアングル測定器、ゴルフスミス社製のゴルフクラブゲージ等の測定器が例示される。このような測定器は公知のものであれば良く、本発明において特に限定されるものではない。
【００３８】
上記実施形態では、図１に示す位置における断面を用いて説明しており、フェース面の略中央で切断した断面図に基づいて説明したが、突状部の壁部と基準面のなす角度や、突状部の先端部とソール部の最下点との高低差などは、ゴルフクラブヘッドを切断する位置によって様々な値をとる。
【００３９】
そこで、本発明において、測定の基となる切断面の範囲について図１０を参照して説明する。図１０はゴルフクラブヘッドの切断面の範囲を説明するための図である。
ゴルフクラブヘッドを通常のアドレスポジションに設置した状態において、基準面８からの高さＨが０．８７５インチ（２２．２３ｍｍ）となる位置と、フェース面のトウ側の先端との間における基準面８に対して平行な距離をフェース面の幅とする。
そのフェース面を２分する、フェース面の幅の中央を中心として、左右に幅全体の２０％以内の範囲において、基準面８に対して直交し、かつフェース面に対して直角な平面Ｍで切断したときの断面を基に各値を測定する。
つまり、上記の左右に幅全体の２０％以内の範囲における任意の一断面において、本発明が達成されていれば、本発明に含まれる。
【実施例】
【００４０】
本発明のゴルフクラブの効果を調べるために、突状部の位置、高低差、角度が異なる種々のゴルフクラブヘッドにゴルフクラブシャフトを結合して、ゴルフクラブを作製し、バックスピン量を測定した。
１０人のゴルファが５回ずつゴルフボールを打ち、計５０回のゴルフボールの測定結果を得、測定結果の平均値を求めた。ゴルフクラブはロフト角度５２度のゴルフクラブを用い、ゴルフボールは横浜ゴム株式会社製のＴＲボールを用いた。
【００４１】
この結果を下記表１に示す。表１では、実験例１のバックスピン量を基準（１００）として指数表示した。バックスピン量は数値が大きいほど優れている。
このバックスピン量は、打ち出し直後のゴルフボールのバックスピン量であり、３つのマークを表面に記したゴルフボールをカメラにより一定の時間間隔で撮影することにより測定した。
【００４２】
【表１】
2006130196.tif 000003
【００４３】
表１中、「突状部の位置」は、突状部の先端の位置であり、ヘッド基準幅に対して後方側から測定したものであり、「高低差」は、突状部の先端部と、突状部を除いたソール部の最下点との高低差である。
また、「角度」は、突状部の壁部と基準面のなす角度θである。「壁部の深さ−高低差」は、突状部の壁部の深さから上記高低差を除算して得られた値である。
また、本発明においては、（壁部の深さ−高低差）が２〜１０ｍｍであることが好ましい。（壁部の深さ−高低差）とは、突状部の壁部の深さから上記高低差を除算して得られた値である。（壁部の深さ−高低差）が２〜１０ｍｍであることによって、特にスイング時に突状部の先端部が地面に接して、ゴルフクラブヘッドのロフト角度が減少する方向への挙動をする際の妨げとなり得る芝等を、壁部からなる凹状の空間に排除することによって、よりバックスピン量を増大することが可能になる。
【００４４】
表１より、突状部のない実験例１と比較して、突状部を有するその他の実験例２〜１２は、バックスピン量が多い。したがって、突状部を有することにより、バックスピン量を増大させることができることが判る。これは地面からの抵抗によってゴルフクラブヘッドのロフト角度が少なくなる効果が増大したためである。
しかし、実験例２をみると、突状部が先端の位置が５０％の場合にはバックスピン量の増加は少なく、突状部の先端部はヘッド基準幅に対して、後方側から５０％未満、例えば０〜４０％の箇所に存在することが好ましいことが判る。
また、実験例３をみると、高低差が０．５ｍｍと本発明の２ｍｍ以上の範囲外であり、その結果バックスピン量の増加が少ないことが判る。
【００４５】
その他の実験例４〜１２は、実験例１と比較して２％以上のバックスピン量の増加がみられ、バックスピン量を充分に増大させることができることが判る。
これら実験例４〜１２は、突状部の先端の位置を後方側から３０％以下、つまり０〜４０％の範囲内で、突状部の先端部とソール部の最下点との高低差と、壁部と基準面のなす角と組み合わせを変更したものである。
実験例７より、突状部の先端部とソール部の最下点との高低差は４ｍｍであり、壁部と基準面のなす角は７０度であるゴルフクラブヘッドが最も良好であることが判る。
【００４６】
以上、本発明に係るゴルフクラブについて詳細に説明したが、本発明は、以上の実施形態に限定されるものではなく、本発明の要旨を逸脱しない範囲において、各種の改良や変更を行ってもよい。
【図面の簡単な説明】
【００４７】
【図１】本発明のゴルフクラブの一実施形態を示す正面図である。
【図２】図１に示すゴルフクラブヘッドの一例を示すＡ−Ａ’矢視断面図である。
【図３】図１に示すゴルフクラブヘッドの他の例を示すＡ−Ａ’矢視断面図である。
【図４】図１に示すゴルフクラブヘッドの他の例を示すＡ−Ａ’矢視断面図である。
【図５】スイング時のゴルフクラブヘッドの挙動を説明するための図である。
【図６】ゴルフクラブヘッドを通常のアドレスポジションに設置した状態を説明するための図である。
【図７】アイアンゴルフクラブをロフト角度測定器に取り付けた一例を示す図である。
【図８】図７中のゴルフクラブヘッド４の周辺拡大図である。
【図９】分度器を用いたロフト角度の測定方法を示す図である。
【図１０】ゴルフクラブヘッドの切断面の範囲を説明するための図である。
【符号の説明】
【００４８】
１  ゴルフクラブ
２  ゴルフクラブシャフト
３  グリップ
４  ゴルフクラブヘッド
５  フェース部
１０  突状部
１２  ゴルフボール
６０  ロフト角度測定器
７０  分度器
【図１】
2006130196.tif 000004
【図２】
2006130196.tif 000005
【図３】
2006130196.tif 000006
【図４】
2006130196.tif 000007
【図５】
2006130196.tif 000008
【図６】
2006130196.tif 000009
【図７】
2006130196.tif 000010
【図８】
2006130196.tif 000011
【図９】
2006130196.tif 000012
【図１０】
2006130196.tif 000013